(57)【要約】【課題】  電子機器に内蔵する電池が、逆挿入防止ストッパーを乗り越えて挿入され喰い付くことを防止する。【解決手段】  電池収納部をコの字型と平面形の２部材のプレス硬板で形成し、両者を勘合ダボと締結ビスで強固に結合する。硬板の絞り加工にて一体形成させてあるストッパー部が逆挿入された電池の進入を阻止し、電池が正しく挿入された場合は電池の凹面にストッパーが係合するので電池の進入は阻止されない。凹面に設けてある＋−電極がショートしない様、ストッパーは片方の電極側のみに設ける。さらに進入のタイミングをずらして第二のストッパーを設け、もしくは絶縁材で第二のストッパーを設けて進入阻止性をさらに高める。【選択図】        図５
2006202561.tif 000002
【特許請求の範囲】
【請求項１】
電子機器の電池を収納する電池収納装置において、
該電池は略直方体を成し、一つの外側面に挿入先端から挿入後端方向へ向けて所定長さの第一および第二凹面を有し、該第一凹面に−電極、該第二凹面に＋電極を有し、
該電池収納装置は、該電池の外形を囲む金属製の略直方体の収納室を有し、該電池の該第一および該第二凹面の、どちらか一方に係合する様に、該金属製の該収納室と一体形成された第一ストッパー部を有して構成され、
該電池を該電池収納装置に挿入する際、該第一ストッパー部が該第一または該第二凹面に係合する正しい向きにて挿入すると該電池が収納され、
該電池を、該第一ストッパー部が該第一または該第二凹面に係合しない逆向き状態にて挿入すると、該第一ストッパー部が該電池の外形に干渉して該電池が収納されないこと、
を特徴とする電池収納装置。
【請求項２】
該電池収納装置は、該電池の該第一および該第二凹面の、他の一方に係合する様に、該金属製の該収納室と一体形成された第二ストッパー部を有し、
該電池を該電池収納装置に挿入する際、該第一ストッパー部が先に該第一または該第二凹面に係合し、該第二ストッパー部が後から該第一または該第二凹面に係合すること、
を特徴とする請求項１に記載の電池収納装置。
【請求項３】
該電池の該第一および該第二凹面の、他の一方に係合する様に、該金属製の該収納室と電気的に絶縁形成された第二ストッパー部を有すること、
を特徴とする請求項１に記載の電池収納装置。
【発明の詳細な説明】
【技術分野】
【０００１】
本発明は電池を収納可能な電子機器の電池収納装置に関するものである。
【背景技術】
【０００２】
そもそも、デジタルカメラはかつてのフイルムカメラとは異なり撮像系、記録系、操作系、電源等各コンポ間の電気的な接続によってシステムが成立するため機械的な配置の制約は皆無であり、筐体のレイアウトにはあらゆる新形態が可能なはずである。とは言え、やはり横長立方体のボディを右手で保持し左手を添えて支えつつ背面から覗いて被写体を狙い、右手人差指でシャッターを切る・・・といった基本的なカメラ形態は撮影行動に適したものとしてデジタル時代においても受け継がれ、多くの製品に採用されてきた。
【０００３】
この場合、図１３の様にカメラ本体１０１は撮像系１０２を中心に右手で保持しやすい様に保持部１０３を設け、上面に人差指で操作するシャッターボタン１０４と撮影時に使用する各操作系１０５、背面には同じく各操作系１０６および画像表示部１０７を配し、下面には収納蓋１０８を設けて中の電池収納部１０９に着脱式の電池１１０やメモリカード１１１などを収納させ、一方で、左側には非操作部材であるストロボ１１２などでスッキリとまとめる、といった配置が、コンパクトかつ操作しやすいカメラを構成するのに有利である。
【０００４】
ここで電池収納部１０９について詳細を説明する。
【０００５】
図１４の様に収納蓋１０８を回転させて開くと、内部の電池収納部１０９には図１５の様に電池１１０に接続するための電池接片１１３、１１４が設けられている。また１１５は排出バネで、収納された電池１１０を外部へ排出する為のものである。
【０００６】
また、１１６は電池ロックである。これは収納蓋１０８を開いたとき、電池１１０が排出バネ１１５に押されて不用意に飛び出さない様にするために設けてある。この電池ロック１１６は電池１１０の収納途中は退避するが、収納が完了すると電池１１０に掛かり、電池１１０を保持する。この状態で収納蓋１０８を閉じると収納される。
【０００７】
次に、メモリカード１１１の収納について説明する。
【０００８】
図１４は収納蓋１０８が開いた状態であるが、内部のカードスロット１１７にメモリカード１１１を奥まで差し込むと、メモリカード１１１は端面１１１ａが見える状態で収納され、この状態でメモリカード１１１はカメラ本体１０１と電気的に接続され、かつ収納蓋１０８の開閉が可能である。またメモリカード１１１を取り出す時は端面１１１ａを押し込むと、メモリカード１１１が内部の排出バネ（不図示）によって押し出される。
【０００９】
そして１１８は検出スイッチで、収納蓋１０８が開いた状態を検出し、電池１１０やメモリカード１１１の着脱中は内部の制御回路を停止させる為のものである。
【００１０】
次に、図１６にて電池収納部１０９の構造を説明する。
【００１１】
１１９は電池ボックスで、モールド材で形成され、電池収納部の入口１１９ａと、内部の側面１１９ｂ、１１９ｃ、１１９ｄの３面を構成している。次に１２０は電池プレートで、厚さ０．５ｍｍ程度のステンレス板で形成され、電池収納部の内部側面１２０ａと、奥端面１２０ｂを構成している。電池ボックス１１９と電池プレート１２０との締結部は、側面１１９ｃ側は外側に設けた突起１１９ｅ、１１９ｆに爪部１２０ｃ、１２０ｄを引掛け、また側面１１９ｄ側は外側に設けた突起１１９ｇに爪部１２０ｅを引掛けると共にビス１２１および１２２を貫通穴１１９ｈおよび１１９ｉを通してビス下穴１２０ｆおよび１２０ｇに締め付けて固定してある。
【００１２】
次に、電池ロック１１６は入口１１９ａにロック軸１２３およびロックバネ１２４と共に取り付けられ、電池接片１１３、１１４および信号接片１２５は１１９ｂ面に溶着されている。また排出バネ１１５は奥端面１２０ｂに取り付けられている。
【００１３】
次に、図１７にて電池１１０の詳細を説明する。
【００１４】
電池１１０は外装がモールド材で形成され、上下左右が略対称の直方体形状をしている。表面１１０ａには、凹面１１０ｂ、１１０ｃ、１１０ｄが設けられ、さらに各凹面の一部に−電極１１０ｅ、＋電極１１０ｆ、信号電極１１０ｇがある。信号電極１１０ｇは、−電極１１０ｅおよび＋電極１１０ｆに電流を加えて充電を行なう際に充電完了時の信号を出力して充電機器に充電終了を指示したり、使用中の異常過熱を出力してカメラ動作を停止保護させるものである。
【００１５】
この直方体形状の電池は円筒形のものに比較してカメラ内部でのスペース効率がよくカメラの小型化に有利である。また図１８の様に電池着脱時には電池接片１１３、１１４および信号接片１２５が−電極１１０ｅ、＋電極１１０ｆ、信号電極１１０ｇを摺動するので着脱するたびに接触部分のゴミや異物等を排除し導電性を良好に維持できる「リフレッシュ効果」が得られる。
【００１６】
しかし直方体のため電池の向きを誤って逆に挿入される可能性があり、例えば図１９の様に電池の挿入方向を軸に１８０度回転させたり、または端面１１０ｈとは対面にある端面１１０ｉを挿入方向先端にして挿入した場合、電池接片１１３、１１４および信号接片１２５は電池１１０の外装に当たって変形・破壊したり異物が付着して、以後の使用時に接触不良を招く恐れがある。そこでその様な逆挿入を防ぐために、電池ボックス１１９には、側面１１９ｂから突出したストッパー部１１９ｊおよび１１９ｋが設けられ、逆挿入時にはこれが電池接片１１３、１１４よりも先に電池１１０の外装に当たってそれ以上電池が進入するのを防止する。なお図１８の様に電池１１０を正しく挿入すれば、ストッパー部１１９ｊおよび１１９ｋは凹面１１０ｂおよび１１０ｃに係合するので電池の進入が妨げられることはない。
【非特許文献１】「キヤノンデジタルカメラ  ＩＸＹＤＩＧＩＴＡＬ３０ａカメラユーザーガイド」、キヤノン株式会社、２００４年
【発明の開示】
【発明が解決しようとする課題】
【００１７】
ところが、図１９の様に逆挿入された状態で、電池１１０がストッパー部１１９ｊおよび１１９ｋに当たっても使用者が逆挿入に気づかずさらに強い力で押し込んだ場合、端面１１０ｈがストッパー部１１９ｊおよび１１９ｋを介して電池ボックス１１９の側面１１９ｂを押し上げてしまい、そのまま電池１１０が挿入されてしまう問題があった。この状態では、押し上げられた側面１１９ｂが元に戻ろうとしてストッパー部１１９ｊおよび１１９ｋを介し電池１１０を押し付けるので、電池１１０が喰い付いてしまい、排出バネ１１５の力では電池１１０を排出できずそのまま電池が取り出せなくなる。
【００１８】
そこで、電池ボックス１１９を変形しやすいモールド材から強度の高い金属材料に変更し、さらに電池プレート１２０との締結方法を改善し電池収納部１０９の構造を強化することによって、電池１１０を逆挿入しても側面１１９ｂが変形しない様にすることが考えられた。しかし単に金属化したのでは、正常に挿入した場合にストッパー部１１９ｊおよび１１９ｋが電池１１０の−電極１１０ｅおよび＋電極１１０ｆに近接するのでショートし、発熱や液漏れを起こす恐れがある。
【００１９】
本発明はこの様な状況を背景に、電池のショートの恐れを回避しながら金属材料を活用して、電池収納部１０９の構造を強化し逆挿入時の電池喰い付きを防止する電池収納装置を提供することを目的とする。
【課題を解決するための手段】
【００２０】
上記の課題を解決するために、本出願における第１の発明では、
電子機器の電池を収納する電池収納装置において、
該電池は略直方体を成し、一つの外側面に挿入端から挿入方向へ向けて所定長さの第一および第二凹面を有し、該第一凹面の該挿入端寄りに−電極、該第二凹面の該挿入端寄りに＋電極を有し、
該電池収納装置は、該電池の外形を囲む金属製の略直方体の収納室を有し、該電池の該第一および該第二凹面の、どちらか一方に係合する様に、該金属製の該該収納室と一体形成された第一ストッパー部を有して構成され、
該電池を該電池収納装置に挿入する際、該第一ストッパー部が該第一または該第二凹面に係合する正しい向きにて挿入すると該電池が収納され、
該電池を、該第一ストッパー部が該第一または該第二凹面に係合しない逆向き状態にて挿入すると、該第一ストッパー部が該電池の外形に干渉して該電池が収納されないこと、
を特徴とする。
【００２１】
さらに本出願における第２の発明では、第１の発明に加えて、
該電池収納装置は、該電池の該第一および該第二凹面の、他の一方に係合する様に、該金属製の該収納室と一体形成された第二ストッパー部を有し、
該電池を該電池収納装置に挿入する際、該第一ストッパー部が先に該第一または該第二凹面に係合し、該第二ストッパー部が後からに該第一または該第二凹面に係合すること、
を特徴とする。
【００２２】
さらに本出願における第３の発明では、第１の発明に加えて、
該電池の該第一および該第二凹面の、他の一方に係合する様に、該金属製の該収納室と電気的に絶縁形成された第二ストッパー部を有すること、
を特徴とする。
【発明の効果】
【００２３】
以上の構成により、本出願における第１の発明では、
ストッパー部を含む電池収納装置全体が金属で構成されて強度が高まり、電池を逆挿入しても電池の収納を妨げるストッパー部が変形して電池が喰い付く事がなく、また正しく挿入した場合はストッパー部が電池の−電極または＋電極のどちらか一方にしか係合しないためショートする恐れがない。
【００２４】
さらに本出願における第２の発明では、
電池挿入途中でストッパー部が先後二段階に存在するので、逆挿入時の挿入防止効果がさらに高く、また正しく挿入した場合は二つのストッパー部が電池の−電極と＋電極に同時に係合しないので、ストッパー部を金属で構成してもショートする恐れがない。
【００２５】
さらに本出願における第３の発明では、
ストッパー部が−電極部と＋電極部の両方に存在するので、逆挿入防止効果がさらに高く、また正しく挿入した場合は二つのストッパー部が絶縁しているので、ショートする恐れがない。
【発明を実施するための最良の形態】
【００２６】
以下本発明を実施するための最良の形態を、実施例により詳しく説明する。
【実施例１】
【００２７】
図１に、本発明の第一実施例による電子機器（カメラ）（請求項の電池収納装置に相当する）の外観図を示す。
【００２８】
１はカメラ本体、２は撮像系、３は保持部、４はシャッターボタン、５は上面の各操作系、６は背面の各操作系、７は画像表示部である。また８は収納蓋で、これを開いて電池収納部９に着脱式の電池１０やメモリカード１１などを収納させる。そして１２はストロボである。
【００２９】
次に、電池収納部９について詳細を説明する。図２の様に収納蓋８を回転させて開くと、内部の電池収納部９には図３の様に電池１０に接続するための電池接片１３、１４が設けられている。また１５は排出バネで、収納された電池１０を外部へ排出する為のものである。
【００３０】
また、１６は電池ロックである。これは収納蓋８を開いたとき、電池１０が排出バネ１５に押されて不用意に飛び出さない様にするために設けてある。この電池ロック１６は電池１０の収納途中は退避するが、収納が完了すると電池１０に掛かり、電池１０を保持する。この状態で収納蓋８を閉じると収納される。
【００３１】
次に、メモリカード１１の収納について説明する。図２は収納蓋８が開いた状態であるが、内部のカードスロット１７にメモリカード１１を奥まで差し込むと、メモリカード１１は端面１１ａが見える状態で収納され、この状態でメモリカード１１はカメラ本体１と電気的に接続され、かつ収納蓋８の開閉が可能である。またメモリカード１１を取り出す時は端面１１ａを押し込むと、メモリカード１１が内部の排出バネ（不図示）によって押し出される。
【００３２】
そして１８は検出スイッチで、収納蓋８が開いた状態を検出し、電池１０やメモリカード１１の着脱中は内部の制御回路を停止させる為のものである。
【００３３】
ここまでは従来例と同様である。
【００３４】
次に、図４にて電池収納部９の構造を説明する。
【００３５】
１９は電池ボックスである。これは従来例と異なり、厚さ０．５ｍｍ程度のステンレス板で形成されているため強度が高い。そして後述する電池収納口２０を取り付ける取り付け部１９ａと、内部の側面１９ｂ、１９ｃ、１９ｄの３面を構成している。また２１は電池プレートで、厚さ０．５ｍｍ程度のステンレス板で形成され、電池収納部の内部側面２１ａを構成している。電池ボックス１９と電池プレート２１との締結部は、従来例と異なり、電池ボックス１９に設けた係止穴１９ｅ〜１９ｈに、電池プレート２１に設けた係止ダボ２１ｂ〜２１ｅを嵌合させ、ビス２２〜２５で締結する。この構造により、従来例の様にモールド材料で構成し爪で引掛ける締結方法と比べて電池ボックス１９と電池プレート２１の結合がより強化されている。
【００３６】
また２０は電池収納口であるが、これは、電池ボックス１９をステンレス板で構成したため、入口部分に別途モールド材を配して電池収納部９の間口を形成するためのもので、ここに先述の電池ロック１６がロック軸２６およびロックバネ２７と共に取り付けられている。また２８は電池接片座で、同じくモールド材を配して電池接片１３、１４と、信号接片２９を取り付け、また排出バネ１５を取り付けるものである。
【００３７】
次に、電池１０は従来例（図１７参照）と同様のもので、上下左右が略対称の直方体形状を成し、表面１０ａに凹面１０ｂ、１０ｃ、１０ｄが設けられ、さらに各凹面の一部に−電極１０ｅ、＋電極１０ｆ、信号電極１０ｇがある。
【００３８】
また、電池の逆挿入を防ぐため、図４の様に電池ボックス１９の側面１９ｂには、第一ストッパー部１９ｉが設けられており、逆挿入時にはこれが図５の様に電池接片１３よりも先に電池１０の外装に当たってそれ以上電池が進入するのを防止する。この第一ストッパー部１９ｉは電池ボックス１９をステンレス板でプレス加工する際、側面１９ｂ部分の加工と一体的に形成されており、従来例の様なモールド材に比べ強度が高く、電池１０の逆挿入状態で使用者が逆挿入に気づかずさらに強い力で押し込んだ場合でも、電池１０が第一ストッパー部１９ｉを介して電池ボックス１９の側面１９ｂを押し上げ電池収納部９に喰い付く様な事がない。
【００３９】
また図６の様に電池を正常に挿入した場合には、第一ストッパー部１９ｉは−電極１０ｅ側の一箇所だけで、＋電極１０ｆ側にはストッパー部が設けられていないので、−電極１０ｅと＋電極１０ｆとがショートし、発熱や液漏れを起こす恐れはない。これは、第一ストッパー部１９ｉを、−電極１０ｅ側ではなく＋電極１０ｆ側だけに設けた場合でも、まったく同様である。
【実施例２】
【００４０】
次に、本発明の第二実施例による電子機器（カメラ）を説明する。
【００４１】
第二実施例では、図７の様に第一実施例ではストッパー部を何も設けなかった＋電極１０ｆ側にも第二ストッパー部１９ｊを追加し、しかもそれを第一ストッパー部１９ｉが先に電池１０と係合した後で第二ストッパー部１９ｊが電池１０に係合する様にずらして設けたことが特徴である。
【００４２】
先に述べた様に、第一実施例では従来例と比べて電池ボックス１９と電池プレート２１の結合がより強化され、かつ第一ストッパー部１９ｉも従来例と比べて強度が高くなっているが、もし図８の様に電池の逆挿入状態で使用者が逆挿入に気づかずさらに強い力で押し込んだ場合、電池１０の外装が第一ストッパー部１９ｉに当たって削られたり破損して、電池１０が進入することも考えられる。
【００４３】
しかし第二ストッパー部１９ｊが設けてあれば、このような事態になってもなお、第二ストッパー部１９ｊが電池１０の外装に当たってそれ以上電池１０が進入するのを防ぐことができる。そして第二ストッパー部１９ｊも第一ストッパー部１９ｉと同様に側面１９ｂ部分の加工と一体的に形成されており強度が高く、電池１０が第二ストッパー部１９ｊを介して電池ボックス１９の側面１９ｂを押し上げ電池収納部９に喰い付く事がない。
【００４４】
また、第一ストッパー部１９ｉと第二ストッパー部１９ｊはずらして設けてあるため、図９の様に電池を正常に挿入した場合には、第一ストッパー部１９ｉが−電極１０ｅに係合するのと第二ストッパー部１９ｊが＋電極１０ｆに係合するタイミングが一致しない。従って、−電極１０ｅと＋電極１０ｆとがショートして発熱や液漏れを起こす恐れはない。もちろんこれは、第二ストッパー部１９ｊを、第一ストッパー部１９ｉより先に電池１０の外装に当たる設定にした場合でも、まったく同様である。
【実施例３】
【００４５】
次に、本発明の第三実施例による電子機器（カメラ）を説明する。
【００４６】
第三実施例では、図１０の様に第一実施例ではストッパー部を何も設けなかった＋電極１０ｆ側にも第二ストッパー３０を追加し、しかもそれを電池ボックス１９とは別体のモールド材で形成し、かつ、第二実施例とは異なり第一ストッパー部１９ｉと第二ストッパー３０が同時に電池１０に係合する位置に設けたことが特徴である。第二ストッパー３０は、電池ボックス１９に設けた取り付け穴１９ｋに取り付け軸３０ａを貫通させて溶着してある。
【００４７】
これにより、図１１の様な逆挿入時には第一ストッパー部１９ｉが電池１０の外装に当たると同時に、第二ストッパー３０も電池１０の外装に当たってそれ以上電池が進入するのを防止する。従って、もし電池の逆挿入状態で使用者が逆挿入に気づかずさらに強い力で押し込んだ場合、その力は第一ストッパー部１９ｉと第二ストッパー３０の両方に分散されるので、電池１０の外装が削られたり破損して、電池１０が進入する恐れが減る。
【００４８】
また、第一ストッパー部１９ｉと第二ストッパー３０は絶縁されているため、図１２の様に電池を正常に挿入した場合に第一ストッパー部１９ｉが−電極１０ｅに係合するのと第二ストッパー３０が＋電極１０ｆに係合するタイミングが一致しても、−電極１０ｅと＋電極１０ｆとがショートして発熱や液漏れを起こす恐れはない。もちろんこれは、第二ストッパー３０に代えて第一ストッパー部１９ｉを別体のモールド材で形成した場合でも、まったく同様である。
【図面の簡単な説明】
【００４９】
【図１】電子機器の外観図
【図２】電子機器の外観図（電池蓋を開いた状態）
【図３】電子機器の下面図（電池蓋を開いた状態）
【図４】電池収納部の分解図
【図５】電池を逆挿入した状態図
【図６】電池を正常に挿入した状態図
【図７】電池収納部の分解図（第二実施例）
【図８】電池を逆挿入した状態図
【図９】電池を正常に挿入した状態図
【図１０】電池収納部の分解図（第三実施例）
【図１１】電池を逆挿入した状態図
【図１２】電池を正常に挿入した状態図
【図１３】電子機器の外観図（従来例）
【図１４】電子機器の外観図（電池蓋を開いた状態）
【図１５】電子機器の下面図（電池蓋を開いた状態）
【図１６】電池収納部の分解図
【図１７】電池詳細図
【図１８】電池を正常に挿入した状態図
【図１９】電池を逆挿入した状態図
【符号の説明】
【００５０】
１        カメラ本体
２        撮像系
３        保持部
４        シャッターボタン
５        上面の各操作系
６        背面の各操作系
７        画像表示部
８        収納蓋
９        電池収納部
１０      電池
１０ａ    表面
１０ｂ、１０ｃ、１０ｄ  凹面
１０ｅ    −電極
１０ｆ    ＋電極
１０ｇ    信号電極
１１      メモリカード
１２      ストロボ
１３〜１４  電池接片
１５      排出バネ
１６      電池ロック
１７      カードスロット
１８      検出スイッチ
１９      電池ボックス
１９ａ    取り付け部
１９ｂ〜１９ｄ  側面
１９ｅ〜１９ｈ  係止穴
１９ｉ    第一ストッパー部
１９ｊ    第二ストッパー部（第二実施例）
１９ｋ    取り付け穴（第三実施例）
２０      電池収納口
２１      電池プレート
２１ａ    内部側面
２１ｂ〜２１ｅ  係止ダボ
２２〜２５  ビス
２６      ロック軸
２７      ロックバネ
２８      電池接片座
２９      信号接片
３０      第二ストッパー（第三実施例）
３０ａ    取り付け軸（第三実施例）
１０１    カメラ本体
１０２    撮像系
１０３    保持部
１０４    シャッターボタン
１０５    上面各操作系
１０６    背面各操作系
１０７    画像表示部
１０８    収納蓋
１０９    電池収納部
１１０    電池
１１０ａ  表面
１１０ｂ〜１１０ｄ  凹面
１１０ｅ  −電極
１１０ｆ  ＋電極
１１０ｇ  信号電極
１１０ｈ  端面
１１０ｉ  端面
１１１    メモリカード
１１２    ストロボ
１１３〜１１４  電池接片
１１５    排出バネ
１１６    電池ロック
１１７    カードスロット
１１８    検出スイッチ
１１９    電池ボックス
１１９ａ  入口
１１９ｂ〜１１９ｄ  側面
１１９ｅ〜１１９ｇ  突起
１１９ｈ〜１１９ｉ  貫通穴
１１９ｊ〜１１９ｋ  ストッパー部
１２０    電池プレート
１２０ａ  側面
１２０ｂ  奥端面
１２０ｃ〜１２０ｅ  爪部
１２０ｆ〜１２０ｇ  ビス下穴
１２１〜１２２  ビス
１２３    ロック軸
１２４    ロックバネ
１２５    信号接片
【図１】
2006202561.tif 000003
【図２】
2006202561.tif 000004
【図３】
2006202561.tif 000005
【図４】
2006202561.tif 000006
【図５】
2006202561.tif 000007
【図６】
2006202561.tif 000008
【図７】
2006202561.tif 000009
【図８】
2006202561.tif 000010
【図９】
2006202561.tif 000011
【図１０】
2006202561.tif 000012
【図１１】
2006202561.tif 000013
【図１２】
2006202561.tif 000014
【図１３】
2006202561.tif 000015
【図１４】
2006202561.tif 000016
【図１５】
2006202561.tif 000017
【図１６】
2006202561.tif 000018
【図１７】
2006202561.tif 000019
【図１８】
2006202561.tif 000020
【図１９】
2006202561.tif 000021